(57)【特許請求の範囲】
【請求項１】
複数の固定電話に接続されたＰＢＸ装置と、
前記ＰＢＸ装置に接続される無線通信用アダプタであって、発信／受信制御ユニットにコネクタを介して、接続携帯電話部の通信機能部のみで構成された携帯通信機能部が接続される構成を採り、前記固定電話からの通話を、外部の複数の所定の携帯電話に振り分ける無線通信用アダプタと、を有し、
前記無線通信用アダプタにおいて、前記固定電話からの通話を、前記ＰＢＸ装置から、前記無線通信用アダプタが具備する前記携帯通信機能部に中継され、
前記携帯通信機能部は、前記固定電話からの通話を、通話回線に組込まれ通話に使用される携帯電話を介さないで、直接、前記携帯通信機能部と外部の複数の所定の前記携帯電話との間の携帯電話同士の通話に置き換えて、携帯電話同士の料金体系により通話料金の低額化を図り、
前記無線通信用アダプタは外部の複数の所定の当該携帯電話に発信する、通信ユニットであって、
前記無線通信用アダプタが具備し、接続携帯電話部の通信機能部のみで構成された前記携帯通信機能部として、インターネットに接続するための通信インターフェースと携帯電話の電波を受信するＲＦインターフェースとが一体となった携帯端末モジュールの機能を奏する、ユビキタスモジュールが接続され、
前記ＰＢＸ装置と前記ユビキタスモジュールは、前記無線通信用アダプタに内蔵された、ことを特徴とする通信ユニット。
【請求項２】
複数人の音声を入力するマイクと、外部の複数の所定の携帯電話の音声を流すスピーカと、から成る音声入出力装置と、
無線通信用アダプタは、前記音声入出力装置に接続され、発信／受信制御ユニットにコネクタを介して、携帯電話の通信機能部のみで構成された携帯通信機能部が接続された構成で、当該音声入出力装置からの通話を、外部の複数の所定の携帯電話に振り分ける無線通信用アダプタと、を有し、
前記携帯通信機能部は、前記音声入出力装置からの音声を、通話回路に組込まれ通話に使用される携帯電話を介さないで、直接、前記携帯通信機能部と外部の複数の所定の前記携帯電話との間の携帯電話同士の通話に置き換えて、通話料金の低額化を図り、外部の複数の所定の前記携帯電話に発信される、通信ユニットであって、
前記無線通信用アダプタが具備する、前記携帯電話の通信機能部のみで構成された携帯通信機能部として、インターネットに接続するための通信インターフェースと携帯電話の電波を受信するＲＦインターフェースとが一体となった携帯端末モジュールの機能を奏する、ユビキタスモジュールが接続され、
前記ユビキタスモジュールは前記無線通信用アダプタに内蔵された、
ことを特徴とする通信ユニット。
【発明の詳細な説明】
【技術分野】
【０００１】
本発明は、固定電話と携帯電話との間の通話を携帯電話同士の通話に置き換える通信ユニットに関する。
【背景技術】
【０００２】
近年、携帯電話の急激な普及により、携帯電話同士間の通話料金を、固定電話と携帯電話との間の通話料金よりも低額にする料金体系が、各携帯電話会社に設けられている。
この料金体系を利用して通話料金を低額にするため、固定電話と携帯電話との間の通話を、携帯電話同士の通話に置き換えることが行われている（例えば、特許文献１参照）。
【０００３】
図４に示すように、特許文献１に記載の遠隔監視システム１００では、メンテナンスセンタCENと無線通信用アダプタADAとが、一般公衆回線網REG及び移動体通信網MOBを通して接続されている。メンテナンスセンタCENには、汎用のパソコン１０１が配置され、モデム１０２を通して一般公衆回線REGに接続されている。無線通信用アダプタADAには、汎用の携帯電話機１０３が取り付けられ、また、PBX主装置１０４などを経由して固定電話機１０５が接続されている。
【０００４】
そして、通常の送受話は、固定電話機１０５⇔携帯電話機１０３⇔移動体通信網MOB⇔出先の携帯電話機（図示省略）か、或いは、固定電話機１０５⇔一般公衆回線網REG⇔相手の会社の固定電話機で行われる。
すなわち、「０９０」などから始まる携帯電話機固有の電話番号を固定電話機１０５で入力した場合には、無線通信用アダプタADAが自動的に携帯電話機１０３を選択して、例えば、出先の社員の携帯電話機に向けて発信させる。同様に、出先の社員の携帯電話機から電話がかかってきた場合にも、携帯電話機１０３を経由して、固定電話機１０５に接続される。
これにより、固定電話機１０５と出先の携帯電話との間の通話を、携帯電話機１０３と出先の携帯電話との通話に置き換えて、通話料金の低減化を図ることができる。
【先行技術文献】
【特許文献】
【０００５】
【特許文献１】特許第３７１９６３９号公報（第１図）
【発明の開示】
【発明が解決しようとする課題】
【０００６】
しかしながら、前述した特許文献１に記載の遠隔監視システム１００のように、固定電話機１０５と出先の携帯電話との間の通話を、携帯同士間の通話に置き換えるために、実際に通話に使用していない携帯電話機１０３を介している。このため、通話品質が低下して、ノイズが増えたり、切れ易かったり、また取付けできる機種にも制限があり、使用できない機種が多かったという問題がある。
【０００７】
そこで、本発明は、上記問題点に解決するために、通話品質を落とすことなく、固定電話と携帯電話との間の通話を携帯電話同士の通話に置き換えて、通話料金の低額化を図ることができる通信ユニットを提供することを目的とする。
【課題を解決するための手段】
【０００８】
上記課題を解決するために、本発明の第１の通信ユニットは、複数の固定電話に接続されたＰＢＸ装置と、前記ＰＢＸ装置に接続される無線通信用アダプタであって、発信／受信制御ユニットにコネクタを介して、接続携帯電話部の通信機能部のみで構成された携帯通信機能部が接続される構成を採り、前記固定電話からの通話を、外部の複数の所定の携帯電話に振り分ける無線通信用アダプタと、を有し、
前記無線通信用アダプタにおいて、前記固定電話からの通話を、前記ＰＢＸ装置から、前記無線通信用アダプタが具備する前記携帯通信機能部に中継され、前記携帯通信機能部は、前記固定電話からの通話を、通話回線に組込まれ通話に使用される携帯電話を介さないで、直接、前記携帯通信機能部と外部の複数の所定の前記携帯電話との間の携帯電話同士の通話に置き換えて、携帯電話同士の料金体系により通話料金の低額化を図り、前記無線通信用アダプタは外部の複数の所定の当該携帯電話に発信する、通信ユニットであって、
前記無線通信用アダプタが具備し、接続携帯電話部の通信機能部のみで構成された前記携帯通信機能部として、インターネットに接続するための通信インターフェースと携帯電話の電波を受信するＲＦインターフェースとが一体となった携帯端末モジュールの機能を奏する、ユビキタスモジュールが接続され、前記ＰＢＸ装置と前記ユビキタスモジュールは、前記無線通信用アダプタに内蔵された、ことを特徴とする。
【０００９】
この構成により、固定電話からの通話はＰＢＸ装置により無線通信用アダプタに中継され、無線通信用アダプタに接続された接続携帯電話部から、出先の複数の携帯電話に発信する。この際、接続携帯電話部を通信機能部のみで構成して無線通信用アダプタに内蔵したので、携帯電話器を介することなく、無線通信用アダプタは直接出先の携帯電話に発信できる。これにより、通話品質を落とすことなく、固定電話と携帯電話との間の通話を携帯電話同士の通話に置き換えることができ、携帯電話同士の料金体系により通話料金の低額化を図ることができる
【００１０】
また、本発明の通信ユニットは、通信インターフェースとＲＦインターフェースとが一体となった携帯端末モジュールの機能を奏する、ユビキタスモジュールを用いる。
【００１１】
この構成により、携帯電話を用いることなく、通信インターフェースとＲＦインターフェースが一体となった、前記携帯電話の通信機能部のみで構成された携帯端末モジュールの機能を奏する、ユビキタスモジュールにより発信できるので、携帯電話の通信機能部以外の表示機能や筐体等が不要になり、安価で、通話品質を確保することができる。
【００１２】
また、本発明の通信ユニットは、ＰＢＸ装置とユビキタスモジュールが前記無線通信用アダプタに内蔵されている。
【００１３】
この構成により、ＰＢＸ装置とユビキタスモジュールは無線通信用アダプタに一体化されるので、通信ユニットのコンパクト化を図ることができる。
【００１４】
さらに、本発明の通信ユニットは、複数人の音声を入力するマイクと、外部の複数の所定の携帯電話の音声を流すスピーカと、から成る音声入出力装置と、
無線通信用アダプタは、前記音声入出力装置に接続され、発信／受信制御ユニットにコネクタを介して、携帯電話の通信機能部のみで構成された携帯通信機能部が接続された構成で、当該音声入出力装置からの通話を、外部の複数の所定の携帯電話に振り分ける無線通信用アダプタと、を有し、
前記携帯通信機能部は、前記音声入出力装置からの音声を、通話回路に組込まれ通話に使用される携帯電話を介さないで、直接、前記携帯通信機能部と外部の複数の所定の前記携帯電話との間の携帯電話同士の通話に置き換えて、通話料金の低額化を図り、外部の複数の所定の前記携帯電話に発信される、通信ユニットであって、
前記無線通信用アダプタが具備する、前記携帯電話の通信機能部のみで構成された前記携帯通信機能部として、インターネットに接続するための通信インターフェースと携帯電話の電波を受信するＲＦインターフェースとが一体となった携帯端末モジュールの機能を奏する、ユビキタスモジュールが接続され、前記ユビキタスモジュールは前記無線通信用アダプタに内蔵された、ことを特徴とする。
【００１５】
この構成により、音声入出力装置から入力された音声は、無線通信用アダプタおよび携帯通信機能部としてのユビキタスモジュールを介して、出先の携帯電話に発信される。また、出先の携帯電話からの音声は、ユビキタスモジュール、無線通信用アダプタおよび音声入出力装置を介して伝えられるので、複数の人数と出先の携帯電話との間で通話ができ、例えば、社内の複数人と出先の社員との間で電話会議を低額で行うことができる。また、契約内容によっては、無料通話サービスがあったり、通話料金が通話時間に無関係になるので、長時間の会議に好適である。
【発明の効果】
【００１８】
本発明によれば、接続携帯電話部を通信機能部のみで構成して無線通信用アダプタに内蔵したので、携帯電話器を介することなく、無線通信用アダプタは直接出先の携帯電話に発信できる。これにより、通話品質を落とすことなく、固定電話と携帯電話との間の通話を携帯電話同士の通話に置き換えることができ、携帯電話同士の料金体系により通話料金の低額化を図ることができることに効果がある。
【図面の簡単な説明】
【００１９】
【図１】本発明にかかる第１実施形態の通信ユニットを示すブロック図である。
【図２】本発明にかかる第１実施形態の通信ユニットの変形例を示すブロック図である。
【図３】本発明にかかる第２実施形態の通信ユニットを示すブロック図である。
【図４】従来の固定電話と携帯電話との通話を携帯電話同士の通話に置き換える通信ユニットを示す概念図である。
【発明を実施するための最良の形態】
【００２０】
（第１実施形態）
以下、本発明にかかる第１実施形態の通信ユニットについて、図面を用いて説明する。
図１に示すように、本発明にかかる第１実施形態の通信ユニット１０は、固定電話１１，２０に接続される構内交換機（ＰＢＸ主装置）１２と、構内交換機１２に接続され出先の携帯電話２１に振り分ける無線通信用アダプタ１３と、を有する。無線通信用アダプタ１３は、アナログ回線，ＩＳＤＮ回線ＶｏＩＰ回線等の回線１７により、構内交換機（ＰＢＸ主装置）１２と接続される。
そして、従来、外部の複数の所定の携帯電話２１Ａ、２１Ｂ、…（なお、総称する場合には「携帯電話２１」で示す。）に接続するために無線通信用アダプタ１３に接続されていた接続携帯電話部の通信機能部（１４）のみを、無線通信用アダプタ１３の内部に設けた。
【００２１】
すなわち、無線通信用アダプタ１３内では、発信／受信制御ユニット１３１に、コネクタ１３２を介して通信機能部（１４）が接続されている。通信機能部（１４）として、インターネットに接続するための通信インターフェースと携帯電話の電波を受信するＲＦインターフェースとが一体となった携帯モジュールであるユビキタスモジュール１４が接続されている。なお、ユビキタスモジュール１４には、外部アンテナ１５が接続されている。
ここで、固定電話としては、ＮＴＴ一般回線２０１により接続される外部の固定電話２０および社内の内線で接続される固定電話１１Ａ、１１Ｂ、…（なお、総称する場合には、「固定電話１１」で示す。）を含む。
【００２２】
従って、外部の固定電話２０からかかってきた社内の固定電話１１にかかってきた通話は、構内交換機１２により内線の固定電話１１Ａ、１１Ｂ、…に割り振られる。また、外部の固定電話２０から出先にいる社員が持っている携帯電話２１Ａ、２１Ｂ、…のいずれか当てにかかってきた場合には、構内交換機１２は無線通信用アダプタ１３に割り振り、ユビキタスモジュール１４を介して出先の携帯電話２１Ａ、２１Ｂ、…に送信される。
【００２３】
また、社内の固定電話１１Ａ、１１Ｂ、…から出先の携帯電話２１Ａ、２１Ｂ、…に電話する際には、構内交換器１２から無線通信用アダプタ１３に割り振られて、ユビキタスモジュール１４を介して、所定の携帯電話２１に発信される。
これにより、固定電話１１，２０から出先の携帯電話２１への通話を、ユビキタスモジュール１４と出先の携帯電話２１との間の、携帯電話同士の通話に置き換える。
【００２４】
なお、図２に示すように、構内交換機１２を無線通信用アダプタ１３と一体的に設けて、通信ユニット１０を一体化することも可能である。
【００２５】
以上、説明した本発明に係る第１実施形態の通信ユニット１０によれば、固定電話１１、２０からの通話は構内交換機１２により無線通信用アダプタ１３に中継され、無線通信用アダプタ１３に接続された接続携帯電話の通信機能部（１４）から、出先の複数の携帯電話２１に発信する。この際、接続携帯電話の通信機能部（１４）を無線通信用アダプタ１３に内蔵したので、通常の携帯電話を介することなく、無線通信用アダプタ１３は直接出先の携帯電話２１に発信できる。
これにより、通話品質を落とすことなく、固定電話１１、２０と携帯電話２１との間の通話を携帯電話同士の通話に置き換えることができ、携帯電話同士の料金体系により通話料金の低額化を図ることができる。
【００２６】
また、通常の携帯電話を用いることなく、ユビキタスモジュール１４により発信できるので、携帯電話の通信機能部（１４）以外の表示機能や筐体等が不要になり、安価で、通話品質を確保することができる。
【００２７】
さらに、構内交換機１２が無線通信用アダプタ１３に内蔵されているので、通信ユニット１０のコンパクト化を図ることができる。
【００２８】
（第２実施形態）
次に、本発明にかかる第２実施形態の通信ユニットについて説明する。
なお、前述した第１実施形態にかかる通信ユニット１０と共通する部位には同じ符号を付して、重複する説明を省略することとする。
図３に示すように、本発明にかかる第２実施形態の通信ユニット１０Ｂは、第１実施形態の通信ユニット１０における構内交換機１２に代わって音声入出力装置２２を有し、無線通信用アダプタ１３に接続されている。
音声入出力装置２２は、音声入力用のマイク２２１および音声出力用のスピーカ２２２を有する。
【００２９】
従って、例えば、社内における複数人と、携帯電話２１を介して外部の社員等との間で会議を行う際に、社内の複数人の声をマイク２２１で拾って直接外部の社員の携帯電話２１に送ることができる。また、外部の社員の声を、スピーカ２２２から流して、会議を行うことができる。
なお、無線通信用アダプタ１３内部にトーン発信ボタン１８を設け、トーン発信ボタン１８を押すことにより、携帯電話２１に向けて発信するようにすることができる。
また、無線通信用アダプタ１３内部に充電池１６を設けておき、停電の際でも通信ユニット１０Ｂが稼働できるようにしておくこともでき、また外部に持出すこともできる。
【００３０】
また、音声入出力装置２２の代わりに種々の装置を接続することにより、通信ユニット１０Ｂを種々の目的で使用することができる。
例えば、図示はしないが、スイッチボックスを無線通信用アダプタ１３に接続してスイッチの遠隔操作を行うことができる。
【００３１】
以上、説明した本発明に係る第２実施形態の通信ユニット１０Ｂによれば、音声入出力装置２２のマイク２２１から入力された音声は、無線通信用アダプタ１３を介して出先の携帯電話２１に発信される。また、出先の携帯電話２１からの音声は、無線通信用アダプタ１３および音声入出力装置２２のスピーカ２２２を介して発せられる。
このため、社内にいる複数の人数と出先の携帯電話２１との間で通話ができ、例えば、社内の複数人と出先の社員との間で電話会議を低額で行う場合に、便利である。また、契約内容によっては、無料通話サービスがあったり、通話料金が通話時間に無関係なので、長時間の会議に好適である。
【００３２】
また、常時接続が可能なので、通話以外の種々の作業に用いることができる。
通信ユニット１０Ｂは、例えば、ビジネスフォンＰＢＸに回線収容、ビジネスフォンＰＢＸに組み込み、仮設電話設備に使用、ＦＡＸに組み込み、インターフォンに組み込み、一般電話機に組み込み、放送設備に組み込み、防災無線設備に組み込み、社内会議システムに使用、自動販売機に組み込み、自動車に取付、自動車用部品に取付／組み込み、建設機械に取付、カーナビに組み込み、家電製品に組み込み、パソコンに組み込み、パソコン周辺機器に取付／組み込み、自動精算機に取付／組み込み、照明器具／非常誘導灯に組み込み、安全管理／監視に使用、安全器具に取付／組み込み、医療用機器に取付／組み込み、介護設備に取付／組み込み、福祉設備に取付／組み込み、事務用機器に取付／組み込み、無線機に取付／組み込み、通信機器に取付／組み込み、娯楽遊具に取付／組み込み、空調機器に取付／組み込み、調理器具に取付／組み込み、教育機器に取付／組み込み、住宅設備に取付／組み込み、救難救命器具に取付／組み込み、緊急地震速報器に取付／組み込みに応用できる。
【００３３】
以上、本発明の好ましい実施例について詳述したが、本発明は係る通信ユニット１０、１０Ｂは上述した実施例に限定されるものではなく、特許請求の範囲に記載された本発明の要旨の範囲内において、種々の変形、変更が可能である。
例えば、前述した各実施形態において、無線通信用アダプタ１３内に設けた発信／受信制御ユニット１３１，コネクタ１３２，ユビキタスモジュール１４を、各々別個に着脱可能に設けておくと、故障時の対応を容易かつ迅速に行うことができる。
【符号の説明】
【００３４】
１０、１０Ｂ  通信ユニット
１１、２０  固定電話
１２  構内交換機
１３  無線通信用アダプタ
１４  ユビキタスモジュール（接続携帯電話、通信機能部、携帯モジュール）
２１  携帯電話
２２  音声入出力装置
【図１】
0005978444.tif 000002
【図２】
0005978444.tif 000003
【図３】
0005978444.tif 000004
【図４】
0005978444.tif 000005